(57)【特許請求の範囲】
【請求項１】
一対の側壁が形成され、該一対の側壁の一側端部に立上がり部を備えた本体と、
前記一対の側壁の一側端部で、該一対の側壁間に略水平に回転可能に架設された主動ローラと、
前記本体の立上がり部を除く上部に、前記主動ローラに対して近接・離間方向に略水平に移動可能に配設され、左右側壁を有する矩形トレイ状に形成されたスライダーと、
前記スライダーの一側端部に、前記主動ローラと平行に回転可能に架設され、該スライダーの移動により該主動ローラと近接・離間するガイドローラと、
スライダー上に、前記ガイドローラを介して前記主動ローラとは水平方向に反対側となる位置に、該主動ローラと平行に回転可能に架設された従動ローラと、
前記主動ローラと従動ローラとに所要の弛み量をもって掛け回された無端シートと、を備え、
前記主動ローラとガイドローラとは、該ガイドローラが主動ローラから離間した位置で、これら両ローラ間の無端シート上に食材が載置されると、その重量で無端シートを両ローラ間に落し込み、該ガイドローラが主動ローラに近接した位置で該主動ローラを回転することにより、無端シートの滑り移動によって両ローラ間に落し込まれた無端シートの弛み部分で食材を巻込むように構成され、かつ、
前記従動ローラは、前記スライダーの一側端部と該スライダーの他側端部との間で多段階に架設位置替えを可能として、前記主動ローラとガイドローラとの間における無端シートの弛み量を可変としたことを特徴とする棒状食品製造玩具。
【請求項２】
前記本体とスライダーとの相互に、該スライダーを前記ガイドローラが主動ローラに近接する巻込み位置に移動した際に、スライダーの移動を阻止するロック機構を備えていることを特徴とする請求項１に記載の棒状食品製造玩具。
【請求項３】
前記スライダーは、前記本体の上部に対して移動可能で、かつ、該本体からの離脱を阻止するホルダー部材を備えていることを特徴とする請求項１または２に記載の棒状食品製造玩具。
【請求項４】
前記スライダーは、前記ガイドローラの近傍位置で前記無端シートの浮き上がりを阻止するシート押え部材を備えていることを特徴とする請求項１〜３の何れか１つに記載の棒状食品製造玩具。
【請求項５】
前記本体は、前記主動ローラに近接した位置に、該主動ローラと協働して前記無端シートを挟持するシート押えローラを備えていることを特徴とする請求項１〜４の何れか１つに記載の棒状食品製造玩具。
【請求項６】
前記主動ローラ、従動ローラ，及びガイドローラは、それぞれ、本体及びスライダーに対して着脱可能とされていることを特徴とする請求項１〜５の何れか１つに記載の棒状食品製造玩具。
【発明の詳細な説明】
【技術分野】
【０００１】
本発明は、児童等が簡単な操作によって本物の棒状食品（例えば巻き寿司）を調理して楽しむことができる棒状食品製造玩具、とりわけ、細い棒状食品（例えば細巻き）から太い棒状食品（例えば太巻き）に亘る好みのサイズの要望に容易に応えることができる棒状食品製造玩具に関する。
【背景技術】
【０００２】
従来から巻き寿司製造装置は各種知られており、例えば、特許文献１には、１対のローラ間に架け渡したベルト上に定寸の飯を偏平状に載置し、このベルトを一対のベルト挟持用対向片を持つ開閉自在腕間に弛ませると共に、該開閉自在腕を閉じて対向片間にベルトを挟持し、その状態でベルトを互いに反対方向に牽引することによって、前記ベルトに挟まれた飯を円柱状に丸め絞って巻き寿司を製造するようにしたものが開示されている。
【特許文献１】特開平６−７０９７号公報
【発明の開示】
【発明が解決しようとする課題】
【０００３】
しかしながら、前記従来の巻き寿司製造装置は、商業用として、巻き寿司を連続して量産する装置として有用ではあるが、開閉自在腕やその駆動機構、およびベルトの弛み，牽引を司る可逆転ベルトリトラクタ等の機構部品を多く含み、これを、児童等が家庭において用いる小さな調理玩具にそのまま転用することは不可能である。
【０００４】
そこで、本発明は、児童等が家庭で遊べることは勿論、学校等における調理実習にも使用できて、本物の棒状食品（例えば巻き寿司）を簡単な操作で調理、製造することができる棒状食品製造玩具を提供するものである。
【課題を解決するための手段】
【０００５】
本発明の棒状食品製造玩具は、一対の側壁が形成され、該一対の側壁の一側端部に立上がり部を備えた本体と、前記一対の側壁の一側端部で、該一対の側壁間に略水平に回転可能に架設された主動ローラと、前記本体の立上がり部を除く上部に、前記主動ローラに対して近接・離間方向に略水平に移動可能に配設され、左右側壁を有する矩形トレイ状に形成されたスライダーと、前記スライダーの一側端部に、前記主動ローラと平行に回転可能に架設され、該スライダーの移動により該主動ローラと近接・離間するガイドローラと、スライダー上に、前記ガイドローラを介して前記主動ローラとは水平方向に反対側となる位置に、該主動ローラと平行に回転可能に架設された従動ローラと、前記主動ローラと従動ローラとに所要の弛み量をもって掛け回された無端シートと、を備え、前記主動ローラとガイドローラとは、該ガイドローラが主動ローラから離間した位置で、これら両ローラ間の無端シート上に食材が載置されると、その重量で無端シートを両ローラ間に落し込み、該ガイドローラが主動ローラに近接した位置で該主動ローラを回転することにより、無端シートの滑り移動によって両ローラ間に落し込まれた無端シートの弛み部分で食材を巻込むように構成され、かつ、前記従動ローラは、前記スライダーの一側端部と該スライダーの他側端部との間で多段階に架設位置替えを可能として、前記主動ローラとガイドローラとの間における無端シートの弛み量を可変としたことを主要な特徴としている。
【０００６】
この棒状食品製造玩具を用いて実際に棒状食品（例えば巻き寿司）を作る場合、先ず、スライダーを無端シートが主動ローラと従動ローラとの間で展張される離間位置にまで移動する。このスライダーの離間位置では、ガイドローラが主動ローラから離間しているので、これら主動ローラとガイドローラとの間における無端シート上に、予め調理された食材（例えば酢飯）を載置して偏平状等に形を整える。次いで、スライダーを前記ガイドローラが主動ローラに近接する巻込み位置にまで移動すると、食材の重量で無端シートが主動ローラとガイドローラとの間に落し込まれる。この状態で、主動ローラを手動回転すると、無端シートの滑り移動によって、該主動ローラとガイドローラとの間に落し込まれた無端シートの弛み部分で、前記食材が丸く巻き込まれる。板状食材（例えば乾燥海苔）は前記食材が棒状に巻き込み成形された段階で、主動ローラとガイドローラとで挟み込まれた無端シートの絞り部分に挿し入れて、主動ローラを回転することにより、前記食材の外周に体よく巻き付けられる。これによって、外周に板状食品が巻き付けられた棒状食品が成形されるから、スライダーを再び前記離間位置にまで移動して、無端シートを展張させることにより、該無端シート上に完成された棒状食品（例えば巻き寿司）が現れて、これを取り出すことができる。
【０００７】
前記従動ローラの架設位置を替えれば、前記主動ローラとガイドローラとの間で形成される無端シートの弛み量が変化し、この弛み量で棒状食品の成形外径が決まるから、この従動ローラの架設位置替えで、太巻き、細巻き、あるいはそれらの中間の中太巻き等、任意のサイズに形成された棒状食品（例えば巻き寿司）が得られる。
【発明の効果】
【０００８】
本発明によれば、前述のようにスライダーのスライド操作と、主動ローラの手動回転操作とにより、無端シートの所定位置に載置された食材（例えば酢飯）を無端シートの弛み部分で丸く巻き込んで、本物の巻き寿司等の棒状食品を容易に作って楽しみ、かつ、食すことができる。
【０００９】
従って、児童等が家庭において巻き寿司等の棒状食品作りを楽しむことができると共に、児童等の調理意欲を掻き立てて調理学習にも役立てることができる。
【００１０】
また、従動ローラの架設位置替えを行うことにより、太巻き、中太巻き、細巻き等、任意のサイズに形成された棒状食品（例えば巻き寿司）が得られ、しかも、単なる太巻きの他、予め細巻き寿司等の棒状食品や中太巻き寿司等の棒状食品を作っておいて、これを芯として太巻き寿司等の棒状食品を作れば、内側に各種の模様、図柄を有する太巻き寿司等の棒状食品を簡単に作って楽しむこともできる。
【発明を実施するための最良の形態】
【００１１】
以下、本発明の一実施形態を図面と共に詳述する。
【００１２】
本実施形態の棒状食品製造玩具は図１、図２に示すように、一対の側壁が形成され、上側を開放した矩形ボックス状の本体１と、該本体１の上部に略水平に移動可能に配設されたスライダー２とを備えている。
【００１３】
本体１およびスライダー２は、何れも合成樹脂材、例えば、ポリプロピレンを基材として一体成形されている。
【００１４】
本体１は、一対の側壁の一側端部、例えば、図１，図２の左方の前端部に適宜高さの立上がり部１Ａを備え、この立上がり部１Ａの上端部に、上側開放部を跨いで一対の左右側壁１ａ，１ａ間にローラ３（主動ローラ）が略水平に回転可能に架設されている。
【００１５】
ここで、前記ローラ３とは、前記側壁１ａにおける軸受部４から外側に突出した軸端部にハンドル３Ａが固設され、該ハンドル３Ａを把持して手動により回転されるものである。
【００１６】
前記本体１の立上がり部１Ａは、後述する太巻きの巻き寿司２４を製造する場合に、無端シート６の弛み部分６Ａが、酢飯２２の重みで垂れ下がっても、該本体１の底部に底付きしない任意の高さに設定される。
【００１７】
前記スライダー２は、底部前端が切欠された矩形トレイ状に形成されている。このスライダー２は、前記本体１の立上がり部１Ａを除く上縁部に、前記ローラ３に対して近接・離間方向に、つまり、図１，図２に示す例では前後方向に略水平に移動可能に配設されている。
【００１８】
また、前記スライダー２は、前記本体１の立上がり部１Ａと略同一の高さに形成され、後述するガイドローラを介して前記ローラ３とは反対側となる位置に、左右側壁２ａ，２ａの上端部間に跨って、従動ローラ５が前記ローラ３と平行に回転可能に架設されている。
【００１９】
そして、これらローラ３と従動ローラ５とに、無端シート６が所要の弛み量をもって掛け回されている。
【００２０】
この無端シート６は、適度の硬度を持つ比較的に厚手の合成樹脂フィルム、例えば、ポリプロピレンフィルムで形成されている。
【００２１】
また、前記スライダー２の前端部には、左右側壁２ａ，２ａの上端部間に跨ってガイドローラ７が、前記ローラ３と平行に回転可能に架設され、スライダー２の前後移動により該ガイドローラ７がローラ３と近接、離間するようになっている。
【００２２】
ここで、前記スライダー２の従動ローラ５は、スライダー２の後端部と前記ガイドローラ７との間で多段階に架設位置替えを可能として、前記ローラ３とガイドローラ７との間における無端シート６の弛み量を可変としている。
【００２３】
本実施形態では、スライダー２の左右側壁２ａ，２ａに、その後端部からガイドローラ７を配置した前端部に亘って、３つの軸受部８，９，１０を設け、これらの軸受部８〜１０の何れか１つを選択して従動ローラ５の架設位置替えを行えるようにしている。
【００２４】
軸受部８〜１０は、何れもスライダー２の左右側壁２ａ，２ａの周縁に上方に開放した軸受孔として形成され、従動ローラ５が該軸受孔８〜１０に対して上下方向に係脱可能となっている。
【００２５】
また、本実施形態では前記ローラ３の軸受部４、およびガイドローラ７の軸受部１１も、上方に開放した軸受孔として形成され、ローラ３およびガイドローラ７がこれら軸受孔４，１１に対して上下方向に係脱可能とされている。
【００２６】
前記軸受孔４および８〜１１は、何れもその上方開放部が対応するローラの支軸径よりも小幅に形成されて、ローラ支軸が簡単に上方へ抜け出ることがないようにされている。
【００２７】
更に、本実施形態にあっては、前記本体１とスライダー２との相互に、該スライダー２を前記ガイドローラ７がローラ３に近接する巻込み位置に移動した際に、スライダー２の前後移動を阻止するロック機構１２を備えている。
【００２８】
前記ロック機構１２は、例えば、図２に示されているように、スライダー２の後端部に上下方向に摺動可能に配設されたロック片１３と、本体１の後壁内面に設けられて該ロック片１３が上下方向に挿脱するストライカー１４とで構成されている。
【００２９】
前記ロック片１３は上端部にノブ１３ａを一体に有し、スライダー２の後端部に設けられた凹欠部１５の底部を貫通して上下方向に摺動可能に保持されていて、前記ノブ１３ａが凹欠部１５内に収容配置されている。
【００３０】
また、前記スライダー２は、前記本体１からの離脱を阻止するホルダー部材１６を備えている。このホルダー部材１６は、スライダー２の左右側壁２ａ，２ａの各前端部下縁に上下方向に回動可能に軸支され、本体１の左右側壁１ａ，１ａの上縁近傍の外面に張り出して前後方向に形成されたレール部１７に係脱可能とされている。このホルダー部材１６は、前記レール部１７に係合されることにより、スライダー２の本体１からの上方離脱を阻止すると共に、これらホルダー部材１６とレール部１７とでスライドガイド機構を構成している。
【００３１】
更に、前記ホルダー部材１６の上方部位には、前記ガイドローラ７の上側近傍位置で左右側壁２ａ，２ａに跨り、前記無端シート６のガイドローラ７からの浮き上がりを阻止する合成樹脂材からなる帯板状のシート押え部材１８が、凹凸係合部１８ａ，１８ｂ等を介して着脱可能に装着されている。
【００３２】
一方、本体１の立上がり部１Ａの上端部には、前記ローラ３の左右両端部に近接した位置に、該ローラ３と協働して前記無端シート６を挟持する一対のシート押えローラ１９が回転可能に架設されている。
【００３３】
なお、図１，図２中、符号２０は前記ローラ３およびガイドローラ７の各左右両端部に嵌着されたシリコンゴム等の弾性材からなるシート滑り止め用のゴムリングを示す。
【００３４】
次に、以上の構成よりなる本実施形態の棒状食品製造玩具の使用形態を図３を参照して詳述する。
【００３５】
図１，図２では、従動ローラ５をスライダー２の後端部の軸受部８に架設して、細巻き寿司を作る場合のローラ配置構成を示しているため、図３ではこれら図１，図２にもとづいて細巻き寿司を作る場合の使用形態を（Ａ）〜（Ｄ）により工程順に模式的に示している。
【００３６】
図３（Ａ）は図１に対応しており、スライダー２はその左右側壁２ａの前端が本体１の立上がり部１Ａの後端に突当って、ガイドローラ７がローラ３に近接する巻込み位置となっている。この巻込み位置は、ロック機構１２のロック片１３が自重により、もしくは、軽く押し下げることにより本体１のストライカー１４内に落ち込んでロックされる。
【００３７】
このとき、無端シート６は自重によりスライダー２のトレイ底部前端から本体１の底部に垂れ下がっている。
【００３８】
そこで、先ず、前記ロック片１３をそのノブ１３ａを介してストライカー１４から引き上げてロック解除し、スライダー２を図３（Ｂ）に示すように無端シート６がローラ３と従動ローラ５との間で展張される離間位置にまで移動する。
【００３９】
このスライダー２の離間位置では、ガイドローラ７がローラ３から離間しているので、これらローラ３とガイドローラ７との間における無端シート６上に、予め調理された酢飯２２を載置して偏平状等に形を整え、必要に応じて図外の具材を酢飯２２の中央部分に載置する。
【００４０】
次いで、スライダー２を図３（Ｃ）に示すように前記ガイドローラ７がローラ３に近接する巻込み位置にまで移動すると、酢飯２２の重量で無端シート６がローラ３とガイドローラ７との間に落し込まれる。このスライダー２の巻込み位置で、前記ロック機構１２のロック片１３をストライカー１４内に落し込んで係合させ、スライダー２を本体１にロックする。
【００４１】
この状態で、ローラ３を図３（Ｃ）の矢印で示す方向に手動により回転すると、無端シート６の滑り移動によって、該ローラ３とガイドローラ７との間に落し込まれた無端シート６の弛み部分６Ａで、前記酢飯２２が丸く巻き込まれる。乾燥海苔２３は酢飯２２が丸棒状に巻き込み成形された段階で、図３（Ｃ）に示すようにローラ３とガイドローラ７とで挟み込まれた無端シート６の絞り部分に挿し入れて、ローラ３を回転することにより、酢飯２２の外周に体よく巻き付けられる。
【００４２】
これによって、外周に乾燥海苔２３が巻き付けられた細巻きの巻き寿司２４が成形される。
【００４３】
そこで、スライダー２を、前記ロック機構１２をロック解除して再び図３（Ｄ）に示すように前記離間位置にまで移動して、無端シート６を展張させることにより、該無端シート６上に完成された巻き寿司２４が現れて、これを取り出すことができる。
【００４４】
前記従動ローラ５の架設位置を、図３（Ａ）に仮想線で示す中太巻き位置、あるいは、太巻き位置に架設位置替えすれば、前記ローラ３とガイドローラ７との間で形成される無端シート６の弛み量が増大し、この弛み量で巻き寿司２４の成形外径が決まる。従って、この従動ローラ５の前記架設位置替えを行った後、前述の要領で巻き作業を行うことにより、中太の巻き寿司、あるいは、太巻きの巻き寿司が得られる。
【００４５】
太巻きの巻き寿司２４を作る場合、酢飯２２の中心部分に具材を入れた単純な太巻きの他、予め細巻き寿司や中太巻き寿司を作っておいて、これら予め作った細巻き寿司や中太巻き寿司を適宜の形状の成形器に入れ圧力を加えることで、適宜の断面形状を有する細巻き寿司や中太巻き寿司が得られ、これらを芯として太巻き寿司を作れば、内側に各種の模様、図柄を有する太巻き寿司が得られる。
【００４６】
因みに、図４，図５は太巻き寿司を作る場合の玩具形態を示しており、図４は、従動ローラ５が最前部の軸受部１０に架設位置替えされて、スライダー２を巻込み位置にセットした状態を示し、図５は、前記スライダー２を離間位置にスライド移動した状態を示している。
【００４７】
以上のように本実施形態の棒状食品製造玩具によれば、スライダー２のスライド操作と、ローラ３の手動回転操作とにより、無端シート６の所定位置、つまり、ローラ３とガイドローラ７との間にある無端シート６上に載置された酢飯２２を、無端シート６の弛み部分６Ａで丸く巻き込んで、本物の巻き寿司２４を容易に作って楽しみ、かつ、食すことができる。
【００４８】
従って、児童等が家庭において巻き寿司作りを楽しむことができることは勿論、児童等の調理意欲を掻き立てて調理学習にも役立てることができる。
【００４９】
また、従動ローラ５の架設位置替えを行うことにより、太巻き、中太巻き、細巻き等、任意のサイズの巻き寿司２４が得られ、しかも、単なる太巻きの他、予め細巻き寿司や中太巻き寿司を作っておいて、これらを芯として太巻き寿司を作れば、内側に各種の模様、図柄を有する太巻き寿司を簡単に作って楽しむこともできる。
【００５０】
ここで、特に本実施形態にあっては、本体１とスライダー２との相互に、該スライダー２を前記ガイドローラ７がローラ３に近接する巻込み位置に移動した際に、スライダー２の移動を阻止するロック機構１２を備えている。このため、ローラ３を回転して巻き寿司を成形する際に、ガイドローラ７を定位置に固定して、形崩れのない所定外径の適正な巻き寿司の成形を行うことができる。
【００５１】
また、スライダー２は、本体１の上縁部に対して移動可能で、かつ、該本体１からの離脱を阻止するホルダー部材１６を備えているので、前記巻き寿司成形時にスライダー２の上下方向のガタツキを抑止して、前述と同様に適正な巻き寿司の成形を行うことができると共に、スライダー２の前後移動を安定してスムーズに行わせることができる。
【００５２】
更に、スライダー２は、前記ガイドローラ７の近傍位置で前記無端シート６の浮き上がりを阻止するシート押え部材１８を備えているので、前記巻き寿司成形時に、無端シート６がガイドローラ７から浮き上がることがなく、前述と同様に適正な巻き寿司の成形を行うことができる。
【００５３】
一方、本体１は、前記ローラ３に近接した位置に、該ローラ３と協働して前記無端シート６を挟持するシート押えローラ１９を備えているので、前記巻き寿司成形時に、ローラ３とガイドローラ７との間で無端シート６に所要のテンションを発生させて、前述と同様に適正な巻き寿司の成形を行うことができる。
【００５４】
また、ローラ３、および従動ローラ５、ガイドローラ７は、それぞれ、本体１およびスライダー２に対して着脱可能とされているため、これら各ローラ３，５，７を取り外して無端シート６の交換、清掃を容易に行なうことができる。
【００５５】
なお、本実施形態では巻き寿司を例にとり説明したが、本発明の棒状食品製造玩具によれば、巻き寿司に限らず他の棒状の食品を作る場合にも適用できることは明白である。
【図面の簡単な説明】
【００５６】
【図１】本発明の一実施形態を、無端シートを除いて示す斜視図。
【図２】図１に示した実施形態の分解斜視図。
【図３】図１に示した実施形態における巻き寿司成形工程をＡ〜Ｄに順を追って示す説明図。
【図４】従動ローラの配置替えをした状態を示す図１と同様の斜視図。
【図５】スライダーを図４の状態から離間位置に移動した状態を示す斜視図。
【符号の説明】
【００５７】
１…本体
１Ａ…立上がり部
２…スライダー
３…ローラ
５…従動ローラ
６…無端シート
６Ａ…弛み部分
７…ガイドローラ
１２…ロック機構
１６…ホルダー部材
１８…シート押え部材
１９…シート押えローラ
２２…酢飯（飯）
２３…乾燥海苔
２４…巻き寿司
【要約】
【課題】本物の棒状食品を簡単な操作で調理、製造することができる棒状食品製造玩具の提供を図る。
【解決手段】スライダー２のガイドローラ７が本体１のローラ３から離間した位置で、両ローラ７，３間の無端シート６上に食材２２が載置されると、その重量で無端シート６が両ローラ７，３間に落し込まれる。スライダー２を移動してガイドローラ７がローラ３に近接した位置で、ローラ３を手動回転すると、無端シート６の滑り移動により両ローラ７，３間における無端シート６の弛み部分６Ａで食材２２が丸く巻き込まれて、棒状食品２４が成形される。
【選択図】図３【図１】
0004266385.tif 000002
【図２】
0004266385.tif 000003
【図３】
0004266385.tif 000004
【図４】
0004266385.tif 000005
【図５】
0004266385.tif 000006